(57)【要約】【課題】宝飾用宝石の装飾性と価値を高めることができる宝飾用宝石の提供を目的とする。【解決手段】全体として一つのデザインの宝石を構成する複数の宝石部材と、該各宝石部材を収納保持する台座とを有し、前記複数の宝石部材は全体として一つのデザインの宝石となるよう結合させた際に、互いの接触状態が解除されない所望の幅のガードルを備え、かつ該ガードル部分で結合されるようになっており、また前記台座は前記各宝石部材を収納する保持部と、前記各宝石部材のガードルより下の部分に係合して固定する係合部とを備えており、前記複数の宝石部材が前記台座の保持部に収納され、かつ前記各宝石部材のガードルより下の部分を係合部で固定されて、全体として一つのデザインの宝石が構成されたときに、前記複数の宝石部材の結合部分は互いの接触状態のみが見えるようにされていることを特徴とする宝飾用宝石。【選択図】図１
2017213111.tif 000002
【特許請求の範囲】
【請求項１】
全体として一つのデザインの宝石を構成する複数の宝石部材と、該各宝石部材を収納保持する台座とを有し、
前記複数の宝石部材は全体として一つのデザインの宝石となるよう結合させた際に、互いの接触状態が解除されない所望の幅のガードルを備え、かつ該ガードル部分で結合されるようになっており、
また前記台座は前記各宝石部材を収納する保持部と、前記各宝石部材のガードルより下の部分に係合して固定する係合部とを備えており、
前記複数の宝石部材が前記台座の保持部に収納され、かつ前記各宝石部材のガードルより下の部分を係合部で固定されて、全体として一つのデザインの宝石が構成されたときに、前記複数の宝石部材の結合部分は互いの接触状態のみが見えるようにされていることを特徴とする宝飾用宝石。
【請求項２】
前記複数の宝石部材によって構成される全体として一つのデザインの宝石の形状は、丸、花丸、ツユ、小判、ホシ、角、ハートを含むカットデザインからなることを特徴とする請求項１に記載の宝飾用宝石。
【請求項３】
前記台座の係合部は、前記保持部の適所に設けた爪からなることを特徴とする請求項１または２に記載の宝飾用宝石。
【発明の詳細な説明】
【技術分野】
【０００１】
本発明はペンダントやブローチ、指輪、イヤリング、ブレスレット、ピアスイヤリングなどの装身具に関し、特に複数の宝石部材を組み合わせることによって全体として一つのデザインの宝石を構成する宝飾用宝石に関する。
【背景技術】
【０００２】
複数の宝石部材を組み合わせることによって全体として一つのデザインの宝石を構成する宝飾用宝石の従来例としては、以下のように例がある。
特開２００７−３７６５３号公報（特許文献１参照）の宝飾品は、宝飾品の製作に利用可能な複数石の取り付け方法の一様式であり、１個の主枠とそれを取り囲む数個の小枠とからなる台座によって構成される。台座の外周上には隣り合う小枠が接する位置で縦方向に伸びる支持片が形成される。脇石は各小枠に１石ずつはめ込まれ、主枠には１石の主石がはめ込まれるようになっている。
【０００３】
実開昭６３−２７１２０号公報（特許文献２参照）の台付き宝石は、宝石本体と、この宝石本体に固着してこれを支持する基台とからなる台付き宝石において、前記宝石本体の冠部外周稜線の下方の位置に連続的または断続的な切込みを設け、この切込みに前記基台の内向き突片を噛み込ませて基台や突片が冠部に隠れるようにしたものである。
【先行技術文献】
【特許文献】
【０００４】
【特許文献１】特開２００７−３７６５３号公報
【特許文献２】実開昭６３−２７１２０号公報
【発明の概要】
【発明が解決しようとする課題】
【０００５】
しかしながら前記いずれの先行技術においても、ガードル部分を緊密に接触させた状態で保持することができないため、また中心となる宝石部分とその他の部分とが段差のある状態で連結されているため、複数の宝石部材を連結して全体として一つのデザインの宝石を作り上げるというところまでは至って居ないというのが実状であった。
本発明はこのような従来技術の課題を解決し、複数の宝石部材を連結して全体として一つのデザインの宝石を作り上げることを可能とすることで、宝飾用宝石の装飾性と価値を高めることができる宝飾用宝石を提供することを目的とするものである。
【課題を解決するための手段】
【０００６】
そこでこの発明の宝飾用宝石は、全体として一つのデザインの宝石を構成する複数の宝石部材と、該各宝石部材を収納保持する台座とを有し、
前記複数の宝石部材は全体として一つのデザインの宝石となるよう結合させた際に、互いの接触状態が解除されない所望の幅のガードルを備え、かつ該ガードル部分で結合されるようになっており、
また前記台座は前記各宝石部材を収納する保持部と、前記各宝石部材のガードルより下の部分に係合して固定する係合部とを備えており、
前記複数の宝石部材が前記台座の保持部に収納され、かつ前記各宝石部材のガードルより下の部分を係合部で固定されて、全体として一つのデザインの宝石が構成されたときに、前記複数の宝石部材の結合部分は互いの接触状態のみが見えるようにされていることを特徴とするものである。
【０００７】
この発明の宝飾用宝石において、前記複数の宝石部材によって構成される全体として一つのデザインの宝石の形状は、丸、花丸、ツユ、小判、ホシ、角、ハートを含むカットデザインからなることをも特徴とするものである。
【０００８】
この発明の宝飾用宝石において、前記台座の係合部は、前記保持部の適所に設けた爪からなることをも特徴とするものである。
【発明の効果】
【０００９】
この発明の宝飾用宝石においては、前記複数の宝石部材結合させた際に、互いの接触状態が解除されない所望の幅のガードルを備えており、前記複数の宝石部材が台座の保持部に収納され、かつ前記各宝石部材のガードルより下の部分を係合部で固定されて、全体として一つのデザインの宝石が構成されるようにしたものであり、ガードル部分を緊密に接触させた状態で保持することができ、また中心となる宝石部分とその他の部分とが段差のない状態で連結することができるため、複数の宝石部材を連結して全体として一つのデザインの宝石を作り上げることができ、非常に付加価値の高い宝飾用宝石を提供することができるようになった。
【図面の簡単な説明】
【００１０】
【図１】（ａ）は本発明による宝飾用宝石の１実施例（丸）を示す概略正面図、（ｂ）はその側面図である。
【図２】全体として一つのデザインの宝石を構成する複数の宝石部材の分解斜視図である。
【図３】前記複数の宝石部材を組み付けて全体として一つのデザインの宝石を構成した状態の斜視図である。
【図４】前記複数の宝石部材を収納して保持する台座の斜視図である。
【図５】前記台座に複数の宝石部材を組み付けようとする状態を示す斜視図である。
【図６】組み付け状態を示す斜視図である。
【図７】前記複数の宝石部材を分解した状態を示す概略断面図である。
【図８】前記台座の概略断面図である。
【図９】前記台座に収納した複数の宝石部材を爪止めした状態を示す概略断面図である。
【図１０】本発明による宝飾用宝石の他の実施例（丸）を示す概略正面図である。
【図１１】（ａ）は該実施例における複数の宝石部材を分解した状態を示す概略正面図、（ｂ）はその平面図である。
【図１２】該実施例における複数の宝石部材を分解した状態を示す概略斜視図である。
【図１３】前記複数の宝石部材を組み付けて全体として一つのデザインの宝石を構成した状態の斜視図である。
【図１４】前記複数の宝石部材を分解した状態を示す概略断面図である。
【図１５】前記台座に複数の宝石部材を収納しようとする状態を示す概略断面図である。
【図１６】前記台座に収納した複数の宝石部材を爪止めした状態を示す概略断面図である。
【図１７】（ａ）はさらに別の実施例（ホシ）における複数の宝石部材のそれぞれを示す平面図、（ｂ）はその側面図、（ｃ）は複数の宝石部材を分解した状態を示す概略平面図、（ｄ）は組み付け状態を示す概略平面図である。
【図１８】ペンダントとして組み上げた状態の正面図である。
【図１９】（ａ）はさらに別の実施例（角）における複数の宝石部材を分解した状態を示す概略平面図、（ｂ）は複数の宝石部材を組み付け状態を示す概略平面図、（ｃ）は台座に組み付け状態を示す概略平面図である。
【図２０】（ａ）はさらに別の実施例（小判）における複数の宝石部材を分解した状態を示す概略平面図、（ｂ）は複数の宝石部材を組み付け状態を示す概略平面図、（ｃ）は台座に組み付け状態を示す概略平面図である。
【図２１】（ａ）はさらに別の実施例（ツユ）における複数の宝石部材を分解した状態を示す概略平面図、（ｂ）は複数の宝石部材を組み付け状態を示す概略平面図、（ｃ）は台座に組み付け状態を示す概略平面図である。
【図２２】（ａ）はさらに別の実施例（ハート形）における複数の宝石部材を分解した状態を示す概略平面図、（ｂ）は複数の宝石部材を組み付け状態を示す概略平面図、（ｃ）は台座に組み付け状態を示す概略平面図である。
【図２３】（ａ）はさらに別の実施例（十字）における複数の宝石部材を分解した状態を示す概略斜視図、（ｂ）は複数の宝石部材を組み付け状態を示す概略斜視図である。
【発明を実施するための形態】
【００１１】
以下、本発明による宝飾用宝石の実施の形態を図面を参照して詳細に説明する。
図１から図９は本発明による宝飾用宝石の第１実施例（丸）の形態を示したものである。
これらの図に示すように、第１実施例では、全体として一つのデザインの宝石を構成する複数の宝石部材１１，１２、該複数の宝石部材１１，１２を収納して保持する台座２１から構成される宝飾用宝石である。この台座２１は主に金または銀等の貴金属で形成される。
【００１２】
前記全体として一つのデザインの宝石を構成する複数の宝石部材は、図では中心に位置するテーブル部宝石部材１１と、その周囲に配置されるクラウン部宝石部材１２とで構成されている。そして、前記クラウン部宝石部材１２は、８角形のテーブル部宝石部材１１の各辺ごとに分割された８個のパーツを有している。
そして前記テーブル部宝石部材１１およびクラウン部宝石部材１２はそれぞれそのガードル部分１３が通常の厚さよりも格段に大きな寸法に形成されており、全体として一つのデザインの宝石となるよう結合させた際に、互いの接触状態が解除されない程度の幅とすることが望ましい。もちろん、いわゆるガードルよりも上に位置するクラウン部をも含めた幅としてもよい。
【００１３】
次に台座２１は、内外２重の筒状部２１ａ，２１ｂを有するとともに、該筒状部２１ａ，２１ｂ間を８つに分割する仕切り２１ｃが設けられている。前記テーブル部宝石部材１１は内側の筒状部（保持部）２１ａ内に収納保持され、前記クラウン部宝石部材１２はこの各仕切り２１ｃ間の各部屋２１ｄ（保持部）に収納保持される。
図において２２は、前記台座２１の外側の筒状部２１ｂの外側面から上方に突き出すように設けた押え部であり、図では爪止めからなる押え部２２を採用したが、その他彫り止め、伏せ込みを含む宝石の適宜固定手段が採用できることはいうまでもない。
なお前記押え部２２は、下向きに延長して前記台座２１の外側の筒状部２１ｂと底板部２３とを連結させてもよい。
また図において２４は、複数の宝石部材１１，１２の各ガードル部分ないしその下部に設けた係合溝、２５は前記台座２１の内側の筒状部２１ａの内外の上部に設けた抜け止め用の突条である。
【００１４】
前記第１実施例の宝飾用宝石の組み付けに際しては、まず前記テーブル部宝石部材１１およびクラウン部宝石部材１２を図２および図７の分解状態から、図３および図５の組み付け状態とする。前記テーブル部宝石部材１１およびクラウン部宝石部材１２は各ガードル部分をそれぞれ付き合わせ、各ガードル部分ないしその下部に設けた係合溝２４に前記台座２１の内側の筒状部２１ａの内外の上部に設けた抜け止め用の突条２５を係合することにより連結固定することができる。
【００１５】
このように組み付けた状態で、図５および図８に示すように、前記テーブル部宝石部材１１は内側の筒状部（保持部）２１ａ内に、前記クラウン部宝石部材１２は前記各仕切り２１ｃ間の各部屋２１ｄ（保持部）にそれぞれ収納される。
もちろん、前記テーブル部宝石部材１１およびクラウン部宝石部材１２を分解状態のままで各保持部に収納してもよい。
その上で、図６および図９に示すように、前記台座２１の外側の筒状部２１ｂの外側面から上方に突き出すように設けた爪止めからなる押え部２２をクラウン部宝石部材１２の上からかしめて各宝石部材を抜け止めする。
【００１６】
本実施例の宝飾用宝石は、図１および図２に示すように、丸環２６およびバチカン２７を介してチェーン等を挿通し、ペンダントとして好適に使用することができる。
したがって、前記複数の宝石部材１１，１２を連結して全体としてゴージャスな一つのデザインの宝石を作り上げることができるようになり、非常に付加価値の高い宝飾用宝石を提供することができる。
【００１７】
図１０から図１６は本発明による宝飾用宝石の第２実施例（丸）の形態を示したものである。
第２実施例では、全体として一つのデザインの宝石（丸）を構成するほぼ同形の複数の宝石部材３１、該複数の宝石部材３１を収納して保持する筒状本体の内側を十字に４分割した台座４１から構成される宝飾用宝石である。この台座４１も主に金または銀等の貴金属で形成される。
【００１８】
前記全体として一つのデザインの宝石を構成する複数の宝石部材３１は、４分の１円弧状で構成されている。したがって該宝石部材３１は、ほぼ同形に分割された４個のパーツで構成されている。
そして前記各宝石部材３１はそれぞれそのガードル部分３２が、さらに上に位置するクラウン部をも含めた幅に形成されており、全体として一つのデザインの宝石（丸）となるよう結合させた際に、互いの接触状態が間違いなく解除されない幅となっている。
なお、図において３３は前記各宝石部材３１のガードル部分３２ないしその下部に設けた係合溝、３４は台座４１の適所に設けた抜け止め用の突条である。
【００１９】
前記第２実施例の宝飾用宝石の組み付けに際しては、まず前記各宝石部材３１を図１１（ａ），（ｂ）、図１２および図１４の分解状態から、図１５の組み付け状態とする。このように組み付けた状態で、図１５および図１６に示すように、前記宝石部材３１は縦および横に４分割した台座４１の保持部４１ａ内にそれぞれ収納される。
もちろん、前記各宝石部材３１を分解状態のままで各保持部４１ａに収納してもよい。
その上で、前記各宝石部材３１のガードル部分３２ないしその下部に設けた係合溝３３に、前記台座４１の適所に設けた抜け止め用の突条３４をはめ込み、図１６に示すように、前記台座４１の外側面から上方に突き出すように設けた爪止めからなる押え部４２を各宝石部材３１のクラウン部の上からかしめて各宝石部材を抜け止めする。なお、図１０はその完成状態を示すものである。
【００２０】
図１７ないし図２２は、全体として一つのデザインの宝石を構成する複数の宝石部材の種々のパターンを示すものである。もちろんこれらの例においても各宝石部材のガードル部分ないしその下部に係合溝を設け、台座の適所には抜け止め用の突条を設けることが望ましい。
図１７（ａ）ないし（ｄ）は星型を構成する宝石部材を、図１８はペンダントとして組み上げた状態を、図１９（ａ），（ｂ），（ｃ）は角型を構成する宝石部材を、図２０（ａ），（ｂ），（ｃ）は小判型を構成する宝石部材を、図２１（ａ），（ｂ），（ｃ）はツユ型を構成する宝石部材を、図２２（ａ），（ｂ），（ｃ）はハート形を構成する宝石部材を、図２３（ａ）は十字の宝石部材およびそのための台座を、（ｂ）はそれらを組み付けた状態を示すものである。
【産業上の利用可能性】
【００２１】
上記各実施例においては、宝飾用宝石を利用する装身具としてペンダントについて説明したが、ペンダント以外に、ブローチ、指輪、イヤリング、ブレスレット、ピアスイヤリングその他の装身具にも好適に適用できることはいうまでもない。
【符号の説明】
【００２２】
１１  テーブル部宝石部材
１２  クラウン部宝石部材
１３  ガードル部分
２１  台座
２１ａ，２１ｂ  筒状部
２１ｃ  仕切り
２１ｄ  部屋
２２  押え部
２３  底板部
２４  係合溝
２５  抜け止め用の突条
２６  丸環
２７  バチカン
３１  宝石部材
３２  ガードル部分
３３  係合溝
３４  抜け止め用の突条
４１  台座
４１ａ  保持部
４２  押え部
【図１】
2017213111.tif 000003
【図２】
2017213111.tif 000004
【図３】
2017213111.tif 000005
【図４】
2017213111.tif 000006
【図５】
2017213111.tif 000007
【図６】
2017213111.tif 000008
【図７】
2017213111.tif 000009
【図８】
2017213111.tif 000010
【図９】
2017213111.tif 000011
【図１０】
2017213111.tif 000012
【図１１】
2017213111.tif 000013
【図１２】
2017213111.tif 000014
【図１３】
2017213111.tif 000015
【図１４】
2017213111.tif 000016
【図１５】
2017213111.tif 000017
【図１６】
2017213111.tif 000018
【図１７】
2017213111.tif 000019
【図１８】
2017213111.tif 000020
【図１９】
2017213111.tif 000021
【図２０】
2017213111.tif 000022
【図２１】
2017213111.tif 000023
【図２２】
2017213111.tif 000024
【図２３】
2017213111.tif 000025
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
全体として一つのデザインの宝石を構成する複数の宝石（ダイヤモンドを除く）部材と、該各宝石部材を収納保持する台座とを有し、
前記複数の宝石部材は全体として一つのデザインの宝石となるよう結合させた際に、互いの接触状態が解除されない所望の幅のガードルを備え、
かつ該ガードル部分で結合されるようになっており、
また前記台座は前記各宝石部材を収納する保持部と、
前記各宝石部材のガードルより下の部分に係合して固定する係合部とを備えており、
前記複数の宝石部材が前記台座の保持部に収納され、かつ前記各宝石部材のガードルより下の部分を係合部で固定されて、全体として一つのデザインの宝石が構成されたときに、
前記複数の宝石部材の結合部分は互いの接触状態のみが見えるようにされていることを特徴とする宝飾用宝石。
【請求項２】
前記複数の宝石（ダイヤモンドを除く）部材によって構成される全体として一つのデザインの宝石の形状は、丸、花丸、ツユ、小判、ホシ、角、ハートを含むカットデザインからなることを特徴とする請求項１に記載の宝飾用宝石。
【請求項３】
前記台座の係合部は、前記保持部の適所に設けた爪からなることを特徴とする請求項１または２に記載の宝飾用宝石。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
全体として一つのデザインの宝石を構成する複数の宝石部材と、該各宝石部材を収納保持する台座とを有し、
前記複数の宝石部材は全体として一つのデザインの宝石となるよう段差もしくは溝なしに結合させた際に、互いの接触状態が解除されない所定の幅のガードルを備え、
かつ該ガードル部分で結合されるようになっており、
また前記台座は前記各宝石部材を収納する保持部と、
前記各宝石部材のガードルより下の部分に係合して固定する係合部とを備えており、
前記複数の宝石部材が前記台座の保持部に収納され、かつ前記各宝石部材のガードルより下の部分を係合部で固定されて、全体として一つのデザインの宝石が構成されたときに、
前記複数の宝石部材の結合部分は互いの接触状態のみが線状に見えるようにされていることを特徴とする宝飾用宝石。
【請求項２】
前記複数の宝石部材によって構成される全体として一つのデザインの宝石の形状は、丸、花丸、ツユ、小判、ホシ、角、ハートを含むカットデザインからなることを特徴とする請求項１に記載の宝飾用宝石。
【請求項３】
前記台座の係合部は、前記保持部の適所に設けた爪からなることを特徴とする請求項１または２に記載の宝飾用宝石。
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
全体として一つのデザインの宝石を構成する複数の宝石部材と、該各宝石部材を収納保持する台座とを有し、
前記複数の宝石部材は全体として一つのデザインの宝石となるように、隣り合う宝石部材の正面側の面が、結合部分において段差なく、かつ、同一平面上に位置するように結合されると共に、
結合させた際に互いの接触状態が解除されない所定の幅のガードルを備え、かつ該ガードル部分で結合されるようになっており、
また前記台座は前記各宝石部材を収納する保持部と、
前記各宝石部材のガードルより下の部分に係合して固定する係合部とを備えており、
前記複数の宝石部材が前記台座の保持部に収納され、かつ前記各宝石部材のガードルより下の部分を係合部で固定されて、全体として一つのデザインの宝石が構成されたときに、
前記複数の宝石部材の結合部分は互いの接触状態のみが線状に見えるようにされていることを特徴とする宝飾用宝石。
【請求項２】
前記複数の宝石部材によって構成される全体として一つのデザインの宝石の形状は、丸、花丸、ツユ、小判、ホシ、角、ハートを含むカットデザインからなることを特徴とする請求項１に記載の宝飾用宝石。
【請求項３】
前記台座の係合部は、前記保持部の適所に設けた爪からなることを特徴とする請求項１または２に記載の宝飾用宝石。